(57)【要約】【課題】電話装置において、発信時に他の電子機器からの出力音によってユーザが通話を妨害されることなく、且つその出力音をユーザができる限り長い間聞くことができるようにすることにある。【解決手段】本発明に係る電話装置（携帯電話機１で例示）は、呼制御を行うと共にその呼制御の状態を監視する呼制御部１３と、音声出力機能を有する電子機器を操作するための操作信号を無線で送信する無線送信部（赤外線送出制御部１６及び赤外線発光部１７ａ〜１７ｄ、又はＲＦリモコン制御送信機２１で例示）とを備える。この無線送信部は、呼制御部１３において呼制御の状態が発信状態から相手先との接続が完了した状態に遷移したときに、上記電子機器に対して、上記電子機器から出力される音声をミュート又は小さくするための操作信号を送信する。【選択図】図１
2014036353.tif 000002
【特許請求の範囲】
【請求項１】
呼制御を行うと共に該呼制御の状態を監視する呼制御部と、音声出力機能を有する電子機器を操作するための操作信号を無線で送信する無線送信部とを備えた電話装置であって、
前記無線送信部は、前記呼制御部において前記呼制御の状態が発信状態から相手先との接続が完了した状態に遷移したときに、前記電子機器に対して、前記電子機器から出力される音声をミュート又は小さくするための操作信号を送信することを特徴とする電話装置。
【請求項２】
前記無線送信部は、前記呼制御部において前記呼制御の状態が相手先との接続が完了した状態から切断中の状態に遷移したときに、前記電子機器に対して、前記音声をミュート又は小さくするための操作信号を送信する前の音声出力状態に戻すための操作信号を送信することを特徴とする請求項１に記載の電話装置。
【請求項３】
前記電子機器は、映像出力機能を有する機器であり、
前記無線送信部は、前記呼制御部において前記呼制御の状態が発信状態から相手先との接続が完了した状態に遷移したときに、前記電子機器に対して前記音声に対応する情報を字幕表示するための操作信号を送信することを特徴とする請求項１又は２に記載の電話装置。
【請求項４】
前記無線送信部は、前記呼制御部において前記呼制御の状態が相手先との接続が完了した状態から切断中の状態に遷移したときに、前記電子機器に対して前記字幕表示を中止するための操作信号を送信することを特徴とする請求項３に記載の電話装置。
【請求項５】
前記電話装置は、携帯型の電話装置であることを特徴とする請求項１〜４のいずれか１項に記載の電話装置。
【発明の詳細な説明】
【技術分野】
【０００１】
本発明は、電話装置に関し、より詳細には、他の電子機器を操作するための操作信号を無線で送信することが可能な電話装置に関する。
【背景技術】
【０００２】
特許文献１には、親機及び子機からなる併設の電話機であって、局等の外来信号の入来により親機のハンドセットがオフ・フックになると、親機の周囲に配置された音響機器にミュート信号を送信する電話機が開示されている。そして、この電話機では、親機より先に子機のハンドセットがオフ・フックになった場合には、このミュート信号の送信を抑制することで、外来信号を子機で確認したにも拘わらず親機の周囲の音響機器から出力される音を無用にミュートしてしまうことを防止している。
【０００３】
また、特許文献２には、ミュート機能を有する他の電子機器に対して着信時にミュート信号を送信し、この後、周囲の音が検出された場合にはミュート信号を再度送信する電話機が開示されている。
【先行技術文献】
【特許文献】
【０００４】
【特許文献１】特許第３６９２５８２号公報
【特許文献２】特開２００８−１３１２８８号公報
【発明の概要】
【発明が解決しようとする課題】
【０００５】
しかしながら、特許文献１，２に記載の電話機では、着信時に、周囲に配置された他の電子機器の音をミュートすることができるだけで、発信時にその電子機器の音をミュートすることはできないため、発信時にはその電子機器の音が通話の妨げになることもある。
【０００６】
また、仮に電話機において、発信時に他の電子機器（例えばテレビ装置や楽曲再生装置等）の音をミュートさせるように構成しようとすると、発信のタイミングでミュート信号を送信することになるが、このような送信処理では、他の電子機器は電話機が相手先と接続応答できたか否かに拘わらず直ぐミュートされてしまい、他の電子機器からの情報を聞き逃してしまうことになる。
【０００７】
また、上述のような問題は、電話回線網を介して会話を行う電話機に限らず、他の電話装置についても同様に生じ得る。例えば、ＩＰ（Internet Protocol）フォンのように、電話回線網を使わずにパケット通信回線により会話を行う装置についても同様の問題が生じる。
【０００８】
本発明は、上述のような実状に鑑みてなされたものであり、その目的は、電話装置において、発信時に他の電子機器からの出力音によってユーザが通話を妨害されることなく、且つその出力音をユーザができる限り長い間聞くことができるようにすることにある。
【課題を解決するための手段】
【０００９】
上記の課題を解決するために、本発明の第１の技術手段は、呼制御を行うと共に該呼制御の状態を監視する呼制御部と、音声出力機能を有する電子機器を操作するための操作信号を無線で送信する無線送信部とを備えた電話装置であって、前記無線送信部は、前記呼制御部において前記呼制御の状態が発信状態から相手先との接続が完了した状態に遷移したときに、前記電子機器に対して、前記電子機器から出力される音声をミュート又は小さくするための操作信号を送信することを特徴としたものである。
【００１０】
本発明の第２の技術手段は、第１の技術手段において、前記無線送信部は、前記呼制御部において前記呼制御の状態が相手先との接続が完了した状態から切断中の状態に遷移したときに、前記電子機器に対して、前記音声をミュート又は小さくするための操作信号を送信する前の音声出力状態に戻すための操作信号を送信することを特徴としたものである。
【００１１】
本発明の第３の技術手段は、第１又は第２の技術手段において、前記電子機器は、映像出力機能を有する機器であり、前記無線送信部は、前記呼制御部において前記呼制御の状態が発信状態から相手先との接続が完了した状態に遷移したときに、前記電子機器に対して前記音声に対応する情報を字幕表示するための操作信号を送信することを特徴としたものである。
【００１２】
本発明の第４の技術手段は、第３の技術手段において、前記無線送信部は、前記呼制御部において前記呼制御の状態が相手先との接続が完了した状態から切断中の状態に遷移したときに、前記電子機器に対して前記字幕表示を中止するための操作信号を送信することを特徴としたものである。
【００１３】
本発明の第５の技術手段は、第１〜第４のいずれか１の技術手段において、前記電話装置は、携帯型の電話装置であることを特徴としたものである。
【発明の効果】
【００１４】
本発明に係る電話装置によれば、発信により相手と通話できるようになった段階で、他の電子機器から出力される音を小さくする又は消しているため、発信時に他の電子機器からの出力音によってユーザが通話を妨害されることもないし、その出力音をユーザが可能な限り長い間聞くこともできる。
【図面の簡単な説明】
【００１５】
【図１】本発明に係る携帯電話機の一構成例を示すブロック図である。
【図２】図１の携帯電話機の外観及び赤外線発光部の位置を示す図である。
【図３】図１の携帯電話機における状態の遷移を説明するための図である。
【図４】図３の遷移に対応した、テレビ装置における音声出力状態及び映像出力状態の遷移を説明するための図である。
【図５】図１の携帯電話機と携帯電話基地局との間で実行される着信シーケンスの一例を示す図である。
【図６】図１の携帯電話機と携帯電話基地局との間で実行される発信シーケンスの一例を示す図である。
【図７】図１の携帯電話機で実行される周囲環境音改善処理の一部を説明するためのフロー図である。
【図８】図１の携帯電話機で実行される周囲環境音改善処理の一部を説明するためのフロー図である。
【図９】図７及び図８における発着信通話切断判定処理の一例を説明するためのフロー図である。
【発明を実施するための形態】
【００１６】
以下、本発明に係る電話装置について、電話回線網を介して会話を行う携帯電話機を例に挙げて説明する。但し、本発明に係る電話装置としては、電話回線やパケット通信回線などのネットワークを介して会話を行う機能（所謂、電話機能）を備えた各種の装置に適用が可能であり、同様に以下に示すような電話発信時の周囲環境音改善の効果を奏する。また、携帯電話機等の携帯型の電話装置としては、スマートフォンと呼ばれるものも含まれる。また、本発明に係る電話装置は、携帯型に限らず設置型であってもよく、設置型の場合、電話回線を介して会話を行う従来の固定電話機や、パケット通信回線を介してにより会話を行うＩＰフォンなどの電話装置が挙げられる。
【００１７】
図１は、本発明に係る携帯電話機の一構成例を示すブロック図で、図２は、図１の携帯電話機の外観及び赤外線発光部の位置を示す図である。
図１で例示する携帯電話機１は、アンテナ１０、無線部１１、電話機能表示操作部１２、呼制御部１３、発着信通話切断判定部１４、コード生成部１５、赤外線送出制御部１６、赤外線発光部１７ａ〜１７ｄ、マイク部１８、受話部１９、音声通話パス部２０、ＲＦ（Radio Frequency）リモコン（リモートコントローラ）制御送信機２１、及びアンテナ２２を備えている。ここで、アンテナ１０は無線部１１による携帯電話基地局との通信に用い、アンテナ２２はＲＦリモコン制御送信機２１による他の電子機器への送信に用いるものである。
【００１８】
無線部１１は、移動体無線通信を行う。より具体的には、無線部１１は、呼制御データや音声データなどのデータを無線信号に変調し、アンテナ１０を介して図示しない携帯電話基地局に無線送信する処理、並びに、アンテナ１０を介して図示しない携帯電話基地局から無線信号を受信し、この無線信号を呼制御データや音声データなどのデータに復調することで変換する処理などを行う。これにより、携帯電話機１は他の携帯電話機や固定電話機やパーソナルコンピュータ（ＰＣ）などとの無線通信が可能になる。
【００１９】
電話機能表示操作部１２は、ユーザに現在の呼制御の状態を通知するための並びにユーザ操作を促すためのＧＵＩ（Graphical User Interface）の画像を表示させることが可能となっており、電話機能全般の操作入力を受け付ける。特に、電話機能表示操作部１２は、発信先の相手電話番号を入力して表示させその相手電話番号に発信する要求を受け付けることや、着信時には相手電話番号や電話の状態を表示することなどを行う。
【００２０】
そして、電話機能表示操作部１２は、上記のＧＵＩ等の画像を表示するために、液晶ディスプレイ、有機ＥＬ（electroluminescence）ディスプレイなどの表示パネルを有する。また、電話機能表示操作部１２は、ユーザ操作を受け付ける操作キーを有する。操作ボタンはハードウェアキーに限らず、ソフトウェアキーとして設けることができる。ソフトウェアキーとして設ける場合、上記の表示パネルに重ねて又は内蔵してタッチセンサを設け、表示パネルに上記ＧＵＩの画像を表示させた状態で、そのタッチセンサでユーザ操作を受け付ければよい。電話機能表示操作部１２で受け付けたユーザ操作の内容は携帯電話機１の全体を制御する制御部に渡され、その制御部が携帯電話機１をその内容に従って動作させることになる。なお、この電話機能表示操作部１２は、携帯電話機１が電話機能以外の機能を有する場合、その機能についての操作も受け付けるように構成すればよい。
【００２１】
携帯電話機１の制御部は、呼制御部１３、発着信通話切断判定部１４、及びコード生成部１５などを含み、携帯電話機１の全体を制御するために、例えばＣＰＵ（Central Processing Unit）又はＭＰＵ（Micro Processing Unit）、作業領域としてのＲＡＭ（Random Access Memory）、及び制御プログラム（本発明に係る周囲環境音改善処理を行うプログラムを含む）を記憶した記憶装置などの制御デバイスで構成される。上記の周囲環境音改善処理を行うプログラムには上記のＧＵＩが含まれる。また、この記憶装置としては、フラッシュＲＯＭ（Read Only Memory）、ＥＥＰＲＯＭ（Electrically Erasable and Programmable  ＲＯＭ）等が挙げられる。無論、制御部の一部又は全部を専用のハードウェアで構成することもできる。
【００２２】
呼制御部１３は、呼制御を行うと共に、その呼制御の状態（以下、呼制御状態）を監視する。より具体的に説明すると、呼制御部１３は、無線部１１で復調（変換）された呼制御データに基づき、発信、着信、呼出、応答、切断等の呼制御状態を遷移させる。また、呼制御部１３は、電話機能表示操作部１２で受け付けたユーザ操作に基づき呼制御データを生成して無線部１１に渡すと共に、この呼制御データが示すように（つまりユーザ操作に従って）呼制御状態を遷移させる。このユーザ操作の１つとして、呼制御部１３は、相手接続先の情報生成（電話番号入力）を伴う発信操作を受け付けたり、着信に応答する操作を受け付けたりする。また、呼制御部１３は、着信時に相手接続先の電話番号を電話機能表示操作部１２に伝える。
【００２３】
さらに、呼制御部１３は、音声通話パス部２０に対し、パス切り替え指示を行う。このパス切り替え指示は、マイク部１８から無線部１１への音声データのパスと無線部１１から受話部１９への音声データのパスとの間で、パスを切り替える指示を指す。マイク部１８は、携帯電話機１のユーザの音声を相手へ送るためのデータに変換する。受話部１９は、相手の音声データを音として聞こえるように変換する。音声通話パス部２０は、呼制御部１３からのパス切り替え指示に基づき、マイク部１８から無線部１１への音声データ（上りデータ）のパスと、無線部１１から受話部１９への音声データ（下りデータ）のパスとについて、不要な方のパスの切断及び必要な方のパスの接続を行う。
【００２４】
そして、本発明に係る携帯電話機１は、音声出力機能を有する電子機器を操作するための操作信号を無線で送信する無線送信部を備える。この電子機器は、当然、携帯電話機１とは別の電子機器であり（但し、同じく携帯電話機であってもよい）、以下、他電子機器と呼ぶ。
【００２５】
他電子機器としては、例えばテレビ装置、音声再生機器などのＡＶ（Audio Visual）機器が挙げられる。音声再生機器は、携帯電話機に内蔵されていていてもよい。但し、他電子機器としては、ＡＶ機器に限ったものではなく、上記無線送信部に対応し上記操作信号を受信する無線受信部を備え、且つ音声出力機能を有する機器であればよい。他電子機器としては、例えば、無線受信部を設けた目覚まし時計やゲーム機などであってもよい。
【００２６】
上記無線送信部として、図１では赤外線発光部１７ａ〜１７ｄ及びそれらにおける赤外線の発光制御を行う赤外線送出制御部１６を挙げている。赤外線送出制御部１６及び赤外線発光部１７ａ〜１７ｄは、赤外線送信を行う部位であり、他電子機器の赤外線受光窓口で受光させて他電子機器を操作するために、上記操作信号を赤外線に載せて送出する。ここで、赤外線発光部１７ａ〜１７ｄは、図２でそれらの配置例を例示するように、携帯電話機１の４隅など、分散させた位置に配置されており、他電子機器への赤外線受光窓口に届くよう且つ干渉を考慮して、赤外線送出制御部１６の指示により赤外線発光部１７ａ，１７ｂ，１７ｃ，１７ｄの順に発光するように構成されている。
【００２７】
また、上記無線送信部としては、ＩＥＥＥ８０２．１５やＩＥＥＥ８０２．１１などの所謂、無線通信規格で無線送信を行う部位を採用することができ、図１ではＲＦリモコン制御送信機２１を例示している。ＲＦリモコン制御送信機２１は、ＺｉｇＢｅｅ  ＲＦ４ＣＥ（ＩＥＥＥ８０２．１５．４規格準拠、ＲＦリモコン向け規格のＲＦリモコン）送信機であり、ここから無線周波数に載せてアンテナ２２から上記操作信号を送信し、それを他電子機器に設けられたＺｉｇＢｅｅ  ＲＦ４ＣＥ受信機が受信することになる。また、ＲＦリモコン制御送信機２１の代わりに、例えばBluetooth（登録商標）送信機などを採用してもよい。
【００２８】
このように、上記無線送信部は、ワイヤレスに上記操作信号を送信できればよく、無線通信規格での無線送信であっても赤外線送信であっても構わない。図１では、上記無線送信部について、ＲＦリモコン制御送信機２１と、赤外線送出制御部１６及び赤外線発光部１７ａ〜１７ｄとで例示しているが、いずれか一方のみが設けられていてもよい。但し、他電子機器における無線受信部について、より多くの種類に対応するために、双方設けておくことが好ましく、ＲＦリモコン制御送信機２１もより多くの無線通信規格に対応させておくことが好ましい。
【００２９】
また、上記操作信号は、同じ操作内容を示す信号であっても、基本的に対象となる他電子機器に応じて異なってもよい。つまり、上記操作信号は、所定の他電子機器を操作するための信号として送信される。より好ましくは、上記操作信号は、上記所定の他電子機器を操作するために付属しているリモコンが送信する信号（以下、リモコンコード）と基本的に同じ信号とすることで、他電子機器側の無線受信部をリモコン用と兼用することができる。なお、上記操作信号をリモコンコードと全く同じにする必要はなく、上記所定の他電子機器において少なくともリモコンコードと同じ操作内容として解釈できる信号としておくだけでもよい。
【００３０】
そのために、携帯電話機１は、対応させる他電子機器の種類、及びチャンネルに応じて、上記操作信号を図示しない記憶部に記憶しておき、操作内容をユーザ操作や後述の遷移に基づき決め、その記憶部に記憶された全ての種類及びチャンネルについて、その操作内容が示す上記操作信号を順次出力すればよい。或いは、全ての種類及びチャンネルのうち予め登録された種類及びチャンネルについて、その操作内容が示す上記操作信号を順次出力してもよい。なお、チャンネルは、同種類の他電子機器が２台以上ある場合に対応するためのものである。
【００３１】
そして、本発明は、上記操作信号が示す操作内容及びその送信タイミングについて、その主たる特徴を有する。より具体的に説明すると、本発明における上記無線送信部は、呼制御部１３において呼制御状態が発信状態から相手先との接続が完了した状態（確実に相手先の端末が応答して音声が疎通した状態）に遷移したときに（つまりこのような遷移を検出したときに）、上記他電子機器（対応させる他電子機器）に対して、上記他電子機器から出力される音声をミュートするための操作信号を送信する。
【００３２】
携帯電話機１では、このようにして、通話開始時（呼制御状態が「発信」から「接続」に変わった時、つまり相手と通話ができる状態につながった時）に上記他電子機器からの音声出力を止めるため、周囲環境音改善の効果が得られ、ユーザは通話を妨害されることなく通話し易くなり、また通話開始まで（相手方と接続されるまで）上記他電子機器の音声出力を止めないため、その出力音をユーザが可能な限り長く聞くことができる。
【００３３】
ここで、上述したように、無線送信部から送信される操作信号はリモコンコードと同じであることが好ましいため、以下では基本的にそのような場合についてのみ説明する。この場合、上記のミュートのための操作信号は、リモコンから送出されるミュート（ミュートＯＮ）のリモコンコードと同じになる。
【００３４】
また、通話が終了した段階でミュートは不要となるため、上記無線送信部は、ミュートを解除するためのリモコンコードを、呼制御状態が通話していない状態（例えば待受け中の状態又は切断中の状態）に遷移したときに送信することが好ましい。このうち通話の終了とミュート解除とのタイミングを近くにするために、上記無線送信部は、呼制御状態が相手先との接続が完了した状態から切断中の状態に遷移したときに、他電子機器に対してミュートを解除するためのリモコンコードを送信することが好ましい。このミュートを解除するためのリモコンコードは、ミュートするための操作信号を送信する前の音声出力状態に戻すための操作信号の一例である。
【００３５】
また、ミュートの代わりに音声を小さくしても、周囲環境音改善の効果はある。そのため、ミュートＯＮのリモコンコードの代わりに、所定レベル又は所定割合だけ音量レベルを下げるといったリモコンコードを生成してもよいし、所定レベル又は所定割合だけ音量レベルを下げることが可能な回数分だけ、音量レベルを１段階下げるリモコンコードを生成するようにしてもよい。
【００３６】
また、この場合、ミュート解除（ＯＦＦ）のリモコンコードの代わりに、音量レベルを上げるようなリモコンコードを生成することになる。つまり、上記無線送信部は、呼制御状態が相手先との接続が完了した状態から切断中の状態に遷移したときに、他電子機器に対して、音声を大きくするためのリモコンコードを送信すればよい。この音声を大きくするためのリモコンコードは、音声を小さくするための操作信号を送信する前の音声出力状態に戻すための操作信号の一例である。なお、説明の簡略化のため、以下ではミュート又はミュート解除のリモコンコードを生成する例のみを挙げて説明する。
【００３７】
図１の携帯電話機１では、赤外線発光部１７ａ〜１７ｄやＲＦリモコン制御送信機２１などの無線送信用のハードウェアの他に、ミュート又はミュート解除のリモコンコードを送信するタイミングを決めるために、発着信通話切断判定部１４及びコード生成部１５を備えている。
【００３８】
発着信通話切断判定部１４は、呼制御部１３における呼制御状態が発信、着信、呼出、応答、切断のいずれの状態にあるかを見極め、コード生成部１５に対し、ミュート又はミュート解除のための操作信号を生成するように指示する。
【００３９】
そして、コード生成部１５は、発着信通話切断判定部１４から他電子機器へのミュートをＯＮするリモコンコードの生成指示を受けて、他電子機器をミュートＯＮするリモコンコードだけでなく、出力すべき音声に対応する情報を字幕表示する（字幕表示をＯＮする）ためのリモコンコードも生成し、これらのリモコンコードを赤外線送出制御部１６やＲＦリモコン制御送信機２１に渡す。
【００４０】
また、コード生成部１５は、発着信通話切断判定部１４から他電子機器へのミュートを解除（ＯＦＦ）するリモコンコードの生成指示を受けて、他電子機器をミュートＯＦＦするリモコンコードだけでなく字幕表示をＯＦＦするリモコンコードも生成し、これらのリモコンコードを赤外線送出制御部１６やＲＦリモコン制御送信機２１に渡す。
【００４１】
そして、赤外線送出制御部１６は、コード生成部１５で生成されたリモコンコードを複数の赤外線発光部１７ａ〜１７ｄから決められた順に送信を指示し、赤外線発光部１７ａ〜１７ｄは、赤外線送出制御部１６の指示により発光する。また、ＲＦリモコン制御送信機２１は、コード生成部１５で生成されたリモコンコードを無線周波数に載せて、アンテナ２２から送信する。
【００４２】
このように、上記無線送信部は、呼制御部１３において呼制御状態が発信状態から相手先との接続が完了した状態に遷移したときに、他電子機器に対して音声に対応する情報を字幕表示するための操作信号を送信することが好ましい。字幕表示をＯＮするリモコンコードも送信することで、通話中のミュート期間でも文字字幕の表示をさせることで情報を取り逃さないというさらなる効果を奏する。但し、字幕表示をＯＮさせる場合には、当然、他電子機器は、映像出力（映像再生、映像表示）機能、及び字幕表示機能を有する、テレビ装置等の機器である必要がある。
【００４３】
また、字幕表示ＯＮに対応させた場合には、上述のように、上記無線送信部は、呼制御状態が相手先との接続が完了した状態から切断中の状態に遷移したときに、他電子機器に対して字幕表示を中止するための操作信号を送信することが好ましい。
【００４４】
なお、字幕表示のＯＮ／ＯＦＦに対応させる場合、赤外線発光部１７ａ〜１７ｄやＲＦリモコン制御送信機２１から、ミュートＯＮのリモコンコードの送信の直後に文字字幕表示ＯＮのリモコンコードを送信するか、若しくは、ミュートＯＮのリモコンコードの直前に字幕表示ＯＮのリモコンコードを送信すればよい。
【００４５】
以上のように、本発明によれば、電話発信操作後に相手が応答して相手と通話できるようになった段階で、他電子機器から出力される音を小さくする又は消しているため、発信時に他電子機器からの出力音によってユーザが通話を妨害されることもないし、実際に相手方と接続が完了するまでに他電子機器に音を小さく又は消すことがないため、電話発信操作後から相手が応答して接続が完了するまでの間の他電子機器からの情報を聞き逃すことを防ぐことができ、他電子機器機からの出力音をユーザが可能な限り長い間聞くことができる。
【００４６】
次に、図３及び図４を参照しながら、図１の携帯電話機１における具体的な処理例を説明する。図３は、図１の携帯電話機における状態の遷移を説明するための図で、図４は、図３の遷移に対応した、テレビ装置における音声出力状態及び映像出力状態の遷移を説明するための図である。
【００４７】
図３の上段で例示したように、携帯電話機１が待受け状態にあり例えば日付表示１２ａを行っていた場合、発信状態にあり「発信中」の文字と相手先電話番号の表示１２ｂを行っていた場合、或いは、呼出状態にあり「呼出中」の文字と相手先電話番号の表示１２ｃを行っていた場合には、図４の上段に示したように他電子機器であるテレビ装置３では、その表示画面３０には通常通りコンテンツの映像が流れ、スピーカ３２からはそのコンテンツの音声が出力されている。また、テレビ装置３にはその外枠の正面側などに無線受信部３１が設けられているものとする。
【００４８】
図３の中段で例示したように、携帯電話機１は、通話状態に遷移した場合には、「発信中」の文字と相手先電話番号の表示１２ｄを行うと共に、その表示１２ｄを行う直前（又は直後）にミュートＯＮと字幕表示ＯＮのリモコンコードを送信する。テレビ装置３では、無線受信部３１でそのリモコンコードを受信し、図４の中段で例示したように、スピーカ３２からの音声出力が抑制（停止）され、字幕表示３３がなされる。ここで図示したように、ミュート状態であることを示す画像を表示させてもよい。
【００４９】
図３の下段で例示したように、携帯電話機１は、切断中状態に遷移した場合には、「切断中」の文字と相手先電話番号の表示１２ｅを行うと共に、その表示１２ｅを行う直前（又は直後）にミュートＯＦＦと字幕表示ＯＦＦのリモコンコードを送信する。テレビ装置３では、無線受信部３１でそのリモコンコードを受信し、図４の下段で例示したように、ミュート状態が解除されてスピーカ３２からの音声出力が復帰し、字幕表示３３もＯＦＦにする。
【００５０】
ここで、図５及び図６を参照して、発信及び着信シーケンスと携帯電話機１の呼制御部１３の状態遷移の関係について説明する。図５は、図１の携帯電話機と携帯電話基地局との間で実行される着信シーケンスの一例を示す図で、図６は、図１の携帯電話機と携帯電話基地局との間で実行される発信シーケンスの一例を示す図である。
【００５１】
着信シーケンスでは、携帯電話機１は、待受け状態において、相手先の電話からの発信に伴って携帯電話基地局４から呼設定表示の指示を受け取ると（ステップＳ１）、呼設定受付を返信し（ステップＳ２）、呼出し要求を発する（ステップＳ３）。これにより携帯電話機１は呼出中状態に遷移する。この状態においてユーザが携帯電話機１を操作して着信に対して応答した段階で、接続応答を携帯電話基地局４に送信する（ステップＳ４）。これにより携帯電話機１は通話中状態に遷移する。
【００５２】
この通話中状態から、相手先が切断要求を行って携帯電話基地局４から切断表示の指示を受ける（ステップＳ５）か、若しくはユーザが携帯電話機１を電話を切るために切断操作を行い、それに伴って切断要求を携帯電話基地局４に対して発する（ステップＳ６）かにより、携帯電話機１は切断中状態に遷移する。
【００５３】
発信シーケンスでは、携帯電話機１は、待受け状態において、ユーザによる発信操作を受けて携帯電話基地局４に呼設定要求を行い（ステップＳ１１）、携帯電話基地局４は呼設定受付を返信する（ステップＳ１２）。これにより、携帯電話機１は発信中状態に遷移する。そして、携帯電話基地局４は携帯電話機１に対して呼出し表示を指示し（ステップＳ１３）、この指示を受けて携帯電話機１は呼出中状態に遷移する。相手先が応答操作を行い携帯電話基地局４がそれを受けた段階で、携帯電話基地局４は接続応答を携帯電話機１に送信する（ステップＳ１４）。携帯電話機１では、その接続応答を受信して接続応答確認の返信を行い（ステップＳ１５）、通話中状態に遷移する。この状態から、ステップＳ５，Ｓ６と同様に携帯電話基地局４から切断表示の指示を受ける（ステップＳ１６）か、若しくはユーザの切断操作に従い切断要求を携帯電話基地局４に対して発する（ステップＳ１７）かにより、携帯電話機１は切断中状態に遷移する。
【００５４】
次に、図７〜図９を参照しながら、図３及び図４のように、テレビ装置で番組を視聴中のところ携帯電話機１にて電話発信後から相手応答までテレビ装置に対して音声ミュート及び文字字幕表示の有効及び無効とされるまでの関連する処理について、その流れを説明する。図７は、図１の携帯電話機で実行される周囲環境音改善処理の一部を説明するためのフロー図で、図８は、図１の携帯電話機で実行される周囲環境音改善処理の一部を説明するためのフロー図である。また、図９は、図７及び図８における発着信通話切断判定処理の一例を説明するためのフロー図である。
【００５５】
携帯電話機１が携帯電話基地局との無線による手続き完了にて発信中、呼出中、通話中、切断中のいずれの状態にもない場合には、常に呼制御部１３は待受け状態となる。この待受け状態より、電話機能表示操作部１２で発信先の相手電話番号が入力され、発信操作がなされると、呼制御部１３へ発信の要求を行う。
【００５６】
呼制御部１３では、この要求を受け付けたか否かを常に判定しており（ステップＳ２１）、受け付けた場合には、電話機能表示操作部１２からの相手接続先の情報生成による発信処理を行うと共に、電話機能表示操作部１２の表示を図３の日付表示１２ａのような待受け画面から表示１２ｂのような発信中画面に変更し、図６の発信パターンの発信中状態まで処理を進める（ステップＳ２２）。次いで、呼制御部１３は、発着信通話切断判定部１４に判定処理を実施させる（ステップＳ２３）。この判定処理については、図９を参照して後述する。なお、ステップＳ２１〜Ｓ２３は待受け状態（Ｉ）となっている。
【００５７】
その後、呼制御部１３は、携帯電話基地局から受信し無線部１１で変換された呼制御データから、相手接続先が呼出中であるか否かを判定し（ステップＳ２４）、呼出中状態になった場合、図６の発信パターンの呼出中状態まで処理を進め、電話機能表示操作部１２の表示を図３の表示１２ｂのような発信中画面から表示１２ｃのような呼出中画面に変更する（ステップＳ２５）。次いで、呼制御部１３は、発着信通話切断判定部１４に判定処理を実施させる（ステップＳ２６）。なお、ステップＳ２４〜Ｓ２６は発信中状態（ＩＩ）となっている。
【００５８】
その後、呼制御部１３は、携帯電話基地局から受信し無線部１１で変換された呼制御データから、相手接続先が応答したか否かを判定し（ステップＳ２７）、応答した場合、図６の発信パターンの通話中状態まで処理を進め、電話機能表示操作部１２の表示を図３の表示１２ｃのような呼出中画面から表示１２ｄのような通話中画面に変更する（ステップＳ２８）。次いで、呼制御部１３は、発着信通話切断判定部１４に判定処理を実施させる（ステップＳ２９）。なお、ステップＳ２７〜Ｓ２９は呼出中状態（ＩＩＩ）となっており、このような処理により通話中状態に遷移する。
【００５９】
通話中状態において、呼制御部１３は、電話機能表示操作部１２から呼制御部１３へ切断要求の操作を受け取るか、或いは携帯電話基地局から無線部１１で変換された呼制御データに基づき切断表示を行ったか、否かを判定する（ステップＳ３１）。切断要求の操作を受け取るか切断表示を行った場合（ステップＳ３１でＹＥＳの場合）には、図６の発信パターンの切断中状態まで処理を進め、電話機能表示操作部１２の表示を図３の表示１２ｄのような通話中画面から表示１２ｅのような切断中画面へ変更する（ステップＳ３２）。次いで、呼制御部１３は、発着信通話切断判定部１４に判定処理を実施させる（ステップＳ３３）。
【００６０】
ステップＳ２３，Ｓ２６，Ｓ２９，Ｓ３３における判定処理について、図９を参照しながら説明する。まず、発着信通話切断判定部１４の判定実施により、呼制御部１３の状態遷移が通話中であるか否かを判定する（ステップＳ４１）。ステップＳ４１にて通話中と判定した場合は、コード生成部１５よりミュートＯＮ及び文字字幕表示ＯＮのリモコンコード生成する（ステップＳ４２）。
【００６１】
次いで、赤外線送出制御部１６は、コード生成部１５で生成されたリモコンコードを図２ように配置された赤外線発光部１７ａ〜１７ｄの順に送出を指示する（ステップＳ４３）。赤外線発光部１７ａ〜１７ｄは、赤外線送出制御部１６の指示により発光する（ステップＳ４４）。
【００６２】
一方で、ステップＳ４１における判定処理により通話中でないと判定された場合、発着信通話切断判定部１４は、呼制御部１３の状態遷移が切断中であるか否かを判定する（ステップＳ４５）。ステップＳ４５にて切断中と判定した場合は、コード生成部１５よりミュートＯＦＦ及び文字字幕ＯＦＦのリモコンコード生成する（ステップＳ４６）。
【００６３】
次いで、ステップＳ４３に進み、赤外線送出制御部１６がコード生成部１５で生成されたリモコンコードを赤外線発光部１７ａ〜１７ｄの順に送出を指示する。そして、赤外線発光部１７ａ〜１７ｄは、赤外線送出制御部１６の指示により発光する（ステップＳ４４）。その後、生成されたリモコンコードをＲＦリモコン制御送信機２１へ送り無線に載せて送信する（ステップＳ４７）。これは、ミュートＯＮや字幕表示ＯＮ時から通話を終了するまでに携帯電話機１のユーザが移動したことを加味して、テレビ装置から離れていてもリモコンコードを届かせるための処理である。このように、２重の無線での送信は、その無線到達距離の違いを利用すれば、ユーザの移動にも対応できるため有益である。
【００６４】
また、ステップＳ４５における判定処理により切断中でないと判定された場合、ステップＳ４４の処理後やステップＳ４７の処理後には、発着信通話切断判定処理を終了する。
【００６５】
以上、本発明に係る電話装置について、電話回線網を介して会話を行う携帯電話機である場合を中心に説明したが、パケット通信回線により会話を行うモバイルＩＰフォンなどの他の携帯型の電話装置であってもよいし、固定型の電話装置であってもよい。但し、携帯型の電話装置である方が、設置型の電話装置に比べていろいろな場所に移動して使用し、移動の先々で様々な他電子機器に対しても発信時にミュートさせることができるため、好ましい。
【００６６】
但し、携帯型の電話装置からはリモコンからの操作信号（リモコンコード）と一部異なる操作信号を送信するように構成しておき、且つ他電子機器側で携帯型の電話装置からのミュートＯＮや字幕表示ＯＮのリモコンコードを反映させるか否かを設定可能にしておくことが好ましい。例えば、携帯型の電話装置のユーザａは自宅のテレビ装置Ａに対して上記リモコンコードを反映させる（発信時にミュートさせる）ように設定しておけば、自宅のテレビ装置Ａの音声をミュートすることができる。その一方で、ユーザｂが自宅にテレビ装置Ａと同種のテレビ装置Ｂをもっていた場合でもユーザｂがそのテレビ装置Ｂで上記リモコンコードの反映をさせない設定にしておけば、ユーザａが自分の携帯型の電話装置で他人宅（ユーザｂの自宅）で電話をかけようとしてもテレビ装置Ｂの音声をミュートできない。これにより、他人であるユーザａが電話をするという都合だけで勝手に自宅のテレビ装置Ｂの操作を行わせることを防ぐことができる。
【００６７】
なお、以上の説明では、音声をミュート又は小さくするための音声信号を無線で送信する例を挙げたが、特に固定型の電話装置ではこの送信を有線で実行することもできる。
【００６８】
以上、本発明に係る電話装置について説明したが、その処理手順について説明したように、本発明は、電話装置における周囲環境音改善方法としての形態を採ることもできる。この周囲環境音改善方法は、呼制御部において呼制御状態が発信状態から相手先との接続が完了した状態に遷移したときに、他電子機器に対して、他電子機器から出力される音声をミュート又は小さくするための操作信号を送信するものであり、その他の応用例や効果については、電話装置について説明した通りであり、その説明を省略する。
【００６９】
また、本発明は、携帯電話機１の上記制御部のような制御部にこの周囲環境音改善方法を実行させるためのプログラム（上記の制御プログラム）としての形態や、このプログラムを記憶したコンピュータ読み取り可能な記録媒体としての形態も採り得る。この記録媒体としては、ＣＤ（Compact Disc）、ＤＶＤ（Digital Versatile Disc）、ＢＤ（Blu-ray Disc）、Universal Serial Bus（ＵＳＢ：登録商標）メモリ等の可搬の記録媒体が挙げられる。この形態では、上記のプログラムを上記の記録媒体から制御部で読み出して実行することで、もしくは上記の記録媒体から制御部で読み出して制御部の記憶装置に格納しておいてその記憶装置から読み出して実行することで、本発明に係る周囲環境音改善機能を実現できる。
【符号の説明】
【００７０】
１…携帯電話機、３…テレビ装置、４…携帯電話基地局、１０…アンテナ、１１…無線部、１２…電話機能表示操作部、１２ａ〜１２ｅ…表示、１３…呼制御部、１４…発着信通話切断判定部、１５…コード生成部、１６…赤外線送出制御部、１７ａ，１７ｂ，１７ｃ，１７ｄ…赤外線発光部、１８…マイク部、１９…受話部、２０…音声通話パス部、２１…ＲＦリモコン制御送信機、２２…ＲＦリモコン制御送信機用のアンテナ、３０…表示画面、３１…無線受信部、３２…スピーカ、３３…字幕表示。
【図１】
2014036353.tif 000003
【図２】
2014036353.tif 000004
【図３】
2014036353.tif 000005
【図４】
2014036353.tif 000006
【図５】
2014036353.tif 000007
【図６】
2014036353.tif 000008
【図７】
2014036353.tif 000009
【図８】
2014036353.tif 000010
【図９】
2014036353.tif 000011